(57)【要約】　　　（修正有）【課題】複数の記録媒体から、画像データを登録しておき、画像データが含まれていない記録媒体から音声データを再生させる場合に、当該画像データを活用する。【解決手段】プログラム情報が記録された複数の記録媒体１０を収納する収納装置１と、記録媒体１０に記録されたプログラム情報を再生する再生装置２と、前記再生されたプログラム情報を出力する出力装置３と、前記再生装置の再生動作を制御する制御装置４とを備えた情報再生出力装置Ｓにおいて、前記複数の記録媒体１０のうち、画像データが含まれている記録媒体１０から当該画像データを取得してメモリ５に登録する。前記複数の記録媒体１０のうち、画像データが含まれていない記録媒体１０から該音声データを再生させる際には、前記登録された画像データを前記メモリ５から読み出し前記出力装置３に出力する。【選択図】　図１
2004071080.tif 000002
【特許請求の範囲】
【請求項１】
記録媒体に記録されたプログラム情報を再生する再生装置と、前記再生されたプログラム情報を出力する出力装置と、前記再生装置の再生動作を制御する制御装置と、を備えた情報再生出力装置において、
前記制御装置は、
プログラム情報中に画像データが含まれている記録媒体から当該画像データを取得してメモリに登録する画像データ登録手段と、
プログラム情報中に音声データが含まれ、かつ、画像データが含まれていない記録媒体から該音声データを再生させる際に、前記登録された画像データを前記メモリから読み出し前記出力装置に出力する画像データ出力手段と、を備えることを特徴とする情報再生出力装置。
【請求項２】
プログラム情報が記録された複数の記録媒体を収納する収納装置と、前記複数の記録媒体のうち何れか１つの記録媒体に記録されたプログラム情報を再生する再生装置と、前記再生されたプログラム情報を出力する出力装置と、前記再生装置の再生動作を制御する制御装置と、を備えた情報再生出力装置において、
前記制御装置は、
前記複数の記録媒体のうち、プログラム情報中に画像データが含まれている記録媒体から当該画像データを取得してメモリに登録する画像データ登録手段と、前記複数の記録媒体のうち、プログラム情報中に音声データが含まれ、かつ、画像データが含まれていない記録媒体から該音声データを再生させる際に、前記登録された画像データを前記メモリから読み出し前記出力装置に出力する画像データ出力手段と、を備えることを特徴とする情報再生出力装置。
【請求項３】
請求項１または２に記載の情報再生出力装置において、
前記画像データ登録手段は、前記プログラム情報中に画像データが含まれている記録媒体から当該画像データをランダムに取得することを特徴とする情報再生出力装置。
【請求項４】
請求項１または２に記載の情報再生出力装置において、
ユーザからの選択指示を受付ける入力装置をさらに備え、
前記画像データ登録手段は、前記取得された画像データを前記出力装置を通じて前記ユーザに提示するとともに１又は複数の画像データの選択を促し、当該ユーザから前記入力装置を通じて選択があった画像データを前記メモリに登録することを特徴とする情報再生出力装置。
【請求項５】
請求項１または２に記載の情報再生出力装置において、
ユーザからの選択指示を受付ける入力装置をさらに備え、
前記画像データ登録手段は、１つの記録媒体から複数の画像データを取得してメモリに登録した場合には、前記登録された画像データを前記出力装置を通じて前記ユーザに提示するとともに代表とすべき画像データの選択を促し、当該ユーザから前記入力装置を通じて選択があった画像データを、前記１つの記録媒体における代表画像データとして前記メモリに登録することを特徴とする情報再生出力装置。
【請求項６】
請求項５に記載の情報再生出力装置において、
前記画像データ出力手段は、前記登録された代表画像データを前記メモリから読み出し前記出力装置に出力することを特徴とする情報再生出力装置。
【請求項７】
請求項１乃至６の何れか一項に記載の情報再生出力装置において、
前記画像データ登録手段は、静止画の画像データを優先的に取得することを特徴とする情報再生出力装置。
【請求項８】
請求項２乃至７の何れか一項に記載の情報再生出力装置において、
前記画像データ登録手段は、前記取得された画像データとともに、当該画像データが記録された記録媒体の収納位置情報を当該画像データに対応付けてメモリに登録することを特徴とする情報再生出力装置。
【請求項９】
請求項８に記載の情報再生出力装置において、
前記メモリに登録された画像データと記録媒体の収納位置情報との関係を前記出力装置を通じて前記ユーザに提示する関係提示手段をさらに備えることを特徴とする情報再生出力装置。
【請求項１０】
請求項２乃至９の何れか一項に記載の情報再生出力装置において、
前記制御装置は、
前記収納装置に収納されていた記録媒体の排出を検知する排出検知手段と、
前記排出検知手段により前記記録媒体の排出が検知された場合には、当該記録媒体から画像データが取得され前記メモリに登録されているか否かを判断する登録判断手段と、
前記登録判断手段により前記画像データが前記メモリに登録されていると判断された場合には、当該画像データをメモリから消去する画像データ消去手段と、をさらに備えることを特徴とする情報再生出力装置。
【請求項１１】
請求項１乃至１０の何れか一項に記載の情報再生出力装置において、
前記出力装置は、画像データを表示する表示手段を有し、
前記表示手段は、前記画像データ出力手段により出力された画像データを背景画像として表示することを特徴とする情報再生出力装置。
【請求項１２】
記録媒体に記録されたプログラム情報を再生し、出力する情報再生出力方法において、
プログラム情報中に画像データが含まれている記録媒体から当該画像データを取得してメモリに登録する工程と、
プログラム情報中に音声データが含まれ、かつ、画像データが含まれていない記録媒体から該音声データを再生させる際に、前記登録された画像データを前記メモリから読み出し出力する工程と、を備えることを特徴とする情報再生方法。
【請求項１３】
記録媒体に記録されたプログラム情報の再生出力を制御するコンピュータを、
プログラム情報中に画像データが含まれている記録媒体から当該画像データを取得してメモリに登録し、
プログラム情報中に音声データが含まれ、かつ、画像データが含まれていない記録媒体から該音声データを再生させる際に、前記登録された画像データを前記メモリから読み出し出力するように機能させることを特徴とする情報再生処理プログラム。
【請求項１４】
プログラム情報が記録された複数の記録媒体のうち何れか１つの記録媒体に記録されたプログラム情報の再生出力を制御するコンピュータを、
前記複数の記録媒体のうち、プログラム情報中に画像データが含まれている記録媒体から当該画像データを取得してメモリに登録し、
前記複数の記録媒体のうち、プログラム情報中に音声データが含まれ、かつ、画像データが含まれていない記録媒体から該音声データを再生させる際に、前記登録された画像データを前記メモリから読み出し出力するように機能させることを特徴とする情報再生処理プログラム。
【請求項１５】
請求項１３または１４に記載の情報再生処理プログラムがコンピュータ読み取り可能に記録されたことを特徴とする記録媒体。
【発明の詳細な説明】
【０００１】
【発明の属する技術分野】
本発明は、記録媒体に記録されたプログラム情報を再生出力する情報再生出力装置の技術分野に関する。
【０００２】
【従来の技術】
近年、楽曲などの音声データを記録したＣＤ（Ｃｏｍｐａｃｔ　Ｄｉｓｃ）等のディスクと、音声データばかりでなく画像データをも記録したＤＶＤ（Ｄｉｇｉｔａｌ　Ｖｅｒｓａｔｉｌｅ　Ｄｉｓｃ）等の記録媒体（ディスク）とを同一の収納部内に収納し、ユーザからの指示により、ディスクチェンジャが再生すべきディスクを自動的に交換して再生するオーディオ再生出力装置が普及され始めてきている。
【０００３】
ところが、このようなオーディオ再生出力装置において、画像データが記録されていないＣＤから音声データを再生する場合、ディスプレイの画面は、いわゆる、ブルーバックになり、該ディスプレイが有効に活用されないという問題があった。
【０００４】
かかる問題に鑑み、特開２０００−２６８５４３号公報に開示された再生装置では、ユーザが、メモリースティック（登録商標）等に記録された画像データを予め該再生装置内のＨＤＤ（ハードディスク）に記録しておき、ＣＤから音声データを再生する場合に、記録された画像データを読み出しディスプレイに出力表示するようにしている。
【０００５】
【発明が解決しようとする課題】
しかしながら、このような従来の再生出力装置では、ＣＤから音声データを再生する場合にディスプレイに表示するための画像データを予め該再生装置内のＨＤＤ等に記録しておく必要があるため、ユーザにとっては非常に手間がかかり煩雑であると考えられる。
【０００６】
そこで、上記不便さの解消を一つの課題とし、より簡単、かつ、効率良く画像データを登録し、画像データが記録されていない記録媒体から音声データを再生させる場合に、当該画像データを有効に活用させることが可能な情報再生出力装置、方法、プログラム及び記録媒体を提供することを目的する。
【０００７】
【課題を解決するための手段】
上記課題を解決するため、請求項１記載の発明は、記録媒体に記録されたプログラム情報を再生する再生装置と、前記再生されたプログラム情報を出力する出力装置と、前記再生装置の再生動作を制御する制御装置と、を備えた情報再生出力装置において、前記制御装置は、プログラム情報中に画像データが含まれている記録媒体から当該画像データを取得してメモリに登録する画像データ登録手段と、プログラム情報中に音声データが含まれ、かつ、画像データが含まれていない記録媒体から該音声データを再生させる際に、前記登録された画像データを前記メモリから読み出し前記出力装置に出力する画像データ出力手段と、を備えることを特徴とする。
【０００８】
請求項２記載の発明は、プログラム情報が記録された複数の記録媒体を収納する収納装置と、前記複数の記録媒体のうち何れか１つの記録媒体に記録されたプログラム情報を再生する再生装置と、前記再生されたプログラム情報を出力する出力装置と、前記再生装置の再生動作を制御する制御装置と、を備えた情報再生出力装置において、前記制御装置は、前記複数の記録媒体のうち、プログラム情報中に画像データが含まれている記録媒体から当該画像データを取得してメモリに登録する画像データ登録手段と、前記複数の記録媒体のうち、プログラム情報中に音声データが含まれ、かつ、画像データが含まれていない記録媒体から該音声データを再生させる際に、前記登録された画像データを前記メモリから読み出し前記出力装置に出力する画像データ出力手段と、を備えることを特徴とする。
【０００９】
請求項１２記載の発明は、記録媒体に記録されたプログラム情報を再生し、出力する情報再生出力方法において、プログラム情報中に画像データが含まれている記録媒体から当該画像データを取得してメモリに登録する工程と、プログラム情報中に音声データが含まれ、かつ、画像データが含まれていない記録媒体から該音声データを再生させる際に、前記登録された画像データを前記メモリから読み出し出力する工程と、を備えることを特徴とする。
【００１０】
請求項１３記載の発明は、記録媒体に記録されたプログラム情報の再生出力を制御するコンピュータを、プログラム情報中に画像データが含まれている記録媒体から当該画像データを取得してメモリに登録し、プログラム情報中に音声データが含まれ、かつ、画像データが含まれていない記録媒体から該音声データを再生させる際に、前記登録された画像データを前記メモリから読み出し出力するように機能させることを特徴とする。
【００１１】
請求項１４記載の発明は、プログラム情報が記録された複数の記録媒体のうち何れか１つの記録媒体に記録されたプログラム情報の再生出力を制御するコンピュータを、前記複数の記録媒体のうち、プログラム情報中に画像データが含まれている記録媒体から当該画像データを取得してメモリに登録し、前記複数の記録媒体のうち、プログラム情報中に音声データが含まれ、かつ、画像データが含まれていない記録媒体から該音声データを再生させる際に、前記登録された画像データを前記メモリから読み出し出力するように機能させることを特徴とする。
【００１２】
請求項１５記載の発明は、請求項１３または１４に記載の情報再生処理プログラムがコンピュータ読み取り可能に記録されたことを特徴とする。
【００１３】
【発明の実施の形態】
以下、本発明の好適な実施の形態を添付図面に基づいて説明する。なお、以下の実施形態は、オーディオ再生出力装置に対して本発明を適用した場合の実施形態である。
【００１４】
先ず、図１を参照して、本実施形態にかかるオーディオ再生出力装置の構成および機能を説明する。
【００１５】
図１は、本実施形態にかかるオーディオ再生出力装置の概要ブロック例を示す図である。図１に示すように、オーディオ再生出力装置Ｓは、大別すると、記録媒体としてのディスク１０を複数枚収納する収納装置としてのディスク収納部１と、ディスク収納部１に収納されたディスク１０をターンテーブル上に搬送、載置し該ディスク１０からプログラム情報を再生する再生装置としての情報再生部２と、情報再生部２から再生されたプログラム情報を出力する出力装置としての情報出力部３と、情報再生部２の再生動作等を制御する制御装置としてのシステムコントローラ４と、画像データを登録（記憶）するためにメモリ５と、ユーザからの各種操作指示を受付ける入力装置としての入力部６と、を含んで構成されている。
【００１６】
ディスク収納部１は、複数段（図１の例では、Ａ〜Ｆの６段）のトレイ（図示せず）を有している。また、ディスク１０を筐体に設けられたディスク挿入口から挿入してディスク収納部１に収納する、またはディスク収納部１に収納されたディスク１０を該ディスク挿入口から筐体外に排出するためのディスクイジェクト機構１２と、を備えている。ディスク収納部１の各トレイ上には、ディスク１０が載置される。これにより、例えば、６枚のディスク１０が筐体内のＹ軸方向（例えば、筐体の上下方向）に積層配列された状態で収納される。ユーザが、例えば、筐体等に設けられたディスクイジェクト釦を押下すると、ディスクイジェクト機構１２が駆動し、当該ディスク収納部１における排出されるディスクを載置したトレイをディスク挿入口に位置付けてＺ軸方向（筐体の前後方向）に排出する。これにより、ユーザは、ディスク収納部１内に収納されているディスク１０を、ディスク挿入口から取り出すことができる。また、ユーザが、ディスク１０をディスク収納部１に収納させる際には、ディスク挿入口からＺ軸方向にディスク１０を挿入することでディスク１０をディスク収納部１におけるトレイ上に載置することができる。
【００１７】
ここで、ディスク収納部１には、例えば、ディスク１０としてＤＶＤとＣＤが収納される。ＤＶＤの種類としては、例えば、ＤＶＤ−Ｖｉｄｅｏ及びＤＶＤ−Ａｕｄｉｏなどがあり、それらに記録されたプログラム情報には音声データ及び画像データが含まれている。また、ＣＤの種類としては、例えば、Ｖｉｄｅｏ−ＣＤ、ＣＤ−ＤＡ及びｄｔｓ−ＣＤなどがあり、Ｖｉｄｅｏ−ＣＤに記録されたプログラム情報には音声データ及び画像データが含まれているが、ＣＤ−ＤＡ及びｄｔｓ−ＣＤに記録されたプログラム情報には音声データが含まれ画像データが含まれない。
【００１８】
情報再生部２は、ディスク収納部１に収納されたディスク１０をターンテーブル上に搬送し所定のクランプ位置に載置するためのチェンジャー機構２０と、所定のクランプ位置に載置されたディスク１０を一定の線速度で回転させるスピンドルモータ２１と、ディスク１０に記録されたプログラム情報を光学的に読み取りＲＦ（Ｒａｄｉｏ　Ｆｒｅｑｕｅｎｃｙ）信号として出力するピックアップ２２と、スピンドルモータ２１及びピックアップ２２をサーボ制御するサーボ回路２３と、ピップアップ２２から出力されたＲＦ信号に対して所定の復調処理及び誤り訂正処理等を行ってバッファメモリ２５に一時的に格納すると共にその格納した復調データを出力する信号処理部２４と、信号処理部２４から出力された復調データから、ナビゲーションパック、音声データ（オーディオパック）、画像データ（ビデオパック）及びサブピクチャデータ（サブピクチャパック）を分離抽出し出力するストリーム分離部２６と、ストリーム分離部２６から出力された音声データに対して所定の復号（デコード）処理を施し出力するオーディオデコーダ２７と、ストリーム分離部２６から出力された画像データに対して所定の復号（デコード）処理を施し出力するビデオデコーダ２８と、ストリーム分離部２６から出力されたサブピクチャデータに対して所定の復号（デコード）処理を施し出力するサブピクチャデコーダ２９と、を備えている。なお、ストリーム分離部２６にて抽出されたナビゲーションパックは、システムコントローラ４に出力されることになる。
【００１９】
チェンジャー機構２０は、システムコントローラ４からの指示の下、例えば、ユーザが入力部６を通じて選択したディスク１０のトレイに係合して、所定のクランプ位置にトレイを引き出すようになっている。
【００２０】
ピックアップ２２は、ＤＶＤ及びＣＤからプログラム情報を再生することができる構成になっている。例えば、ピックアップ２２は、２レンズ光ピックアップ方式を適用し、ＤＶＤに最適なＮＡを持ったＤＶＤ用対物レンズ（図示せず）とＣＤに最適なＮＡを持ったＣＤ用対物レンズ（図示せず）の二つの対物レンズを備え、システムコントローラ４からのサーボ回路２３を介した制御の下、これらの対物レンズをＤＶＤとＣＤに応じて切り換えて使用する。また、所定のクランプ位置に載置されたディスク１０が、ＤＶＤであるか、ＣＤであるかの判別は、ピックアップ２２から読み取られた信号に基づいて、システムコントローラ４により行われるが、かかる技術は公知であるので説明を省略する。
【００２１】
なお、ピックアップ２２に対し、２焦点レンズを利用することによって２種類の光スポットを生成する２焦点光ピックアップ方式を適用してもよい。
【００２２】
ストリーム分離部２６は、ディスク１０に記録されたプログラム情報に画像データが含まれていない場合（例えば、ディスク１０がＣＤ−ＤＡ及びｄｔｓ−ＣＤの場合）、復調データから音声データのみを抽出してオーディオデコーダ２７に出力することになる。また、ストリーム分離部２６は、ディスク１０に記録されたプログラム情報に画像データが含まれている場合（例えば、ディスク１０がＤＶＤ−Ｖｉｄｅｏ、ＤＶＤ−Ａｕｄｉｏ及びＶｉｄｅｏ−ＣＤ）、システムコントローラ４からの指示の下、画像データをシステムコントローラ４にも出力するようになっている。
【００２３】
ここで、ディスク１０がＤＶＤ−Ｖｉｄｅｏの場合における論理的記録フォーマットについて、図２を参照して説明する。図２は、ＤＶＤ−Ｖｉｄｅｏの論理的記録フォーマット例を示す図である。
【００２４】
図２に示すように、実施の形態におけるＤＶＤ−Ｖｉｄｅｏ１０ａは、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Ｖｉｄｅｏ　Ｔｉｔｌｅ　Ｓｅｔ）５１（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセットであり、より具体的には、例えば、一本の同じ映画について、異なる言語の台詞等を有する複数の映画が夫々にタイトルとして記録されたり、又は、同じ映画であっても劇場版と特別版とが夫々別のタイトルとして記録されたりするものである。
【００２５】
また、ＶＴＳ５１が記録されている領域の先頭には、ビデオマネージャ５０が記録される。このビデオマネージャ５０における情報として、例えば、各タイトルの名前等が表されたメニュー画像や、違法コピー防止のための情報、又は夫々のタイトルにアクセスするためのアクセステーブル等、当該ＤＶＤ１に記録される映像情報及び音声情報の全体に係わる情報が記録されている。信号処理部２４若しくはストリーム分離部２６は、ビデオマネージャ５０における情報を、システムコントローラ４に出力するようになっている。
【００２６】
一つのＶＴＳ５１は、コントロールデータ６１を先頭として、夫々にＩＤ番号を有する複数のＶＯＢ（Ｖｉｄｅｏ　Ｏｂｊｅｃｔ）６０に分割されて記録されている。ここで、複数のＶＯＢ６０により構成されている部分をＶＯＢセット（ＶＯＢＳ）という。このＶＯＢセットは、ＶＴＳ５１を構成する他のデータであるコントロールデータ６１と、映像情報及び音声情報の実体である複数のＶＯＢ６０の部分とを区別するために当該実体部分についてＶＯＢセットとしたものである。
【００２７】
ＶＴＳ５１の先頭に記録されるコントロールデータ６１には、複数のセルを組合せた論理的区分であるプログラムチェインに関する種々の情報であるＰＧＣＩ（Ｐｒｏｇｒａｍ　Ｃｈａｉｎ　Ｉｎｆｏｒｍａｔｉｏｎ）等の情報が記録される。また、各ＶＯＢ６０には、制御情報の他に映像情報及び音声情報の実体部分（制御情報以外の映像又は音声そのもの）が記録される。
【００２８】
一つのＶＯＢ６０は、夫々にＩＤ番号を有する複数のセル７０により構成されている。ここで、一つのＶＯＢ６０は、複数のセル７０により完結するように構成されており、一つのセル７０が二つのＶＯＢ６０に跨がることはない。
【００２９】
一つのセル７０は、夫々にＩＤ番号を有する複数のＶＯＢユニット（ＶＯＢＵ）により構成されている。ここで、ＶＯＢユニット８０とは、映像情報、音声情報及び副映像情報（映画における字幕等の副映像の情報をいう。）のいずれか又はナビゲーションパックのみによる構成される一つの単位である。
【００３０】
一つのＶＯＢユニット８０は、ＶＯＢユニット８０に含まれている映像情報等を制御対象とする制御情報が格納されているナビゲーションパック（以下、「ナビパック」という）９１と、映像情報としての画像データ９２と、音声情報としての音声データ９３と、副映像情報としてのサブピクチャデータ９４とにより構成されている。ここで、サブピクチャデータ９４としては、例えば、文字や図形等のグラフィックデータが記録される。
【００３１】
また、一つのＶＯＢユニット８０において、ナビパック９１は必ずその先頭に存在するが、画像データ９２、音声データ９３及びサブピクチャデータ９４の夫々は、必ずしもＶＯＢユニット８０中に存在する必要はなく、また、存在する場合にもその数や順序を任意に設定することができる。ここで、画像データ９２、音声データ９３及びサブピクチャデータ９４の夫々の区分を一般にパックＰという。すなわち、一のＶＯＢユニット８０においては、画像データ９２、音声データ９３及びサブピクチャデータ９４が、夫々パックＰに分割されて記録されていることとなり、画像データ９２が記録されているパックＰをビデオパック、音声データ９３が記録されているパックＰをオーディオパック、サブピクチャデータ９４が記録されているパックＰをサブピクチャパックという。
【００３２】
また、各パックＰの先頭に記録されるパックヘッダには、夫々のパックＰに含まれているデータをバッファメモリ２５から読み出して、夫々のデコーダへの入力を開始すべき再生時間軸上の読み出し開始時刻を示すＳＣＲ（Ｓｙｓｔｅｍ　Ｃｌｏｃｋ　Ｒｅｆｅｒｅｎｃｅ）と呼ばれる読み出し開始時刻情報や、パックＰの開始であることを示すスタートコード等が記録される。
【００３３】
更に、一つのＶＯＢユニット８０に含まれている全ての画像データ９２は、例えば、一又は複数のＧＯＰ（Ｇｒｏｕｐ　Ｏｆ　Ｐｉｃｔｕｒｅ）により構成されている。このＧＯＰは、公知の画像圧縮方式であるＭＰＥＧ（Ｍｏｖｉｎｇ　Ｐｉｃｔｕｒｅ　Ｅｘｐｅｒｔｓ　Ｇｒｏｕｐ）方式の規格において定められている単独で再生可能な最小の画像単位である。
【００３４】
図３は、ＧＯＰを構成するフレーム画像例を示す図である。図３に示すように、一つのＧＯＰは、「Ｉ」で示すＩピクチャ（Ｉｎｔｒａ−ｃｏｄｅｄ　ｐｉｃｔｕｒｅ　：画面内、フレーム内イントラ符号化画像）と、「Ｐ」で示すＰピクチャ（Ｐｒｅｄｉｃｔｉｖｅ−ｃｏｄｅｄ　ｐｉｃｔｕｒｅ：前方予測符号化画像）と、「Ｂ」で示すＢピクチャ（Ｂｉｄｉｒｅｃｔｉｏｎａｌｌｙ　ｐｒｅｄｉｃｔｉｖｅ−ｃｏｄｅｄ　ｐｉｃｔｕｒｅ：両方向予測符号化画像）とから構成されている。なお、図３の例では、１２枚のフレーム画像から構成されているが、一つのＧＯＰに含まれるフレーム画像数は一定ではない。ここで、Ｉピクチャは、自らの画像のみで完全なフレーム画像を再生することができるフレーム画像である。Ｐピクチャは、既に復号化されたＩピクチャ又は他のＰピクチャに基づいて補償再生された予測画像との差を復号化する等して生成された予測画像である。Ｂピクチャは、既に復号化されたＩピクチャ又はＰピクチャのみでなく、光ディスク等に記録されている時間的に未来のＩピクチャ又はＰピクチャをも予測に用いて再生される予測画像である。
【００３５】
一方、ディスク１０がＣＤの場合、周知の如く、内周側のリードインエリアにおけるサブコードのＱチャネルのデータ部にＴＯＣ（Ｔａｂｌｅ　Ｏｆ　Ｃｏｎｔｅｎｔｓ）情報が記録されると共に、該リードインエリアの外側のプログラムエリアに音声データが記録されている。さらに、Ｖｉｄｅｏ−ＣＤの場合、該リードインエリアの外側のプログラムエリアに画像データ及び音声データが記録されているとともに、リードインエリアの外周側のトラックに画像データ及び音声データのスタート位置を示すエントリー情報が記録されている。なお、Ｖｉｄｅｏ−ＣＤの場合も、画像データは、ＭＰＥＧ方式の規格において構成されている。
【００３６】
図１の説明に戻り、情報出力部３は、オーディオデコーダ２７から出力された音声データ９３をデジタル／アナログ変換しアナログ音声信号として出力するＤＡＣ（Ｄｉｇｉｔａｌ−ｔｏ−Ａｎａｌｏｇ　Ｃｏｎｖｅｒｔｅｒ）３０と、ＤＡＣ３０から出力されたアナログ音声信号を増幅して出力するＡＭＰ（Ａｍｐｌｉｆｉｅｒ）３１と、ＡＭＰ３１から出力されたアナログ音声信号を音波として出力するスピーカ３２と、ビデオデコーダ２８から出力された画像データ９２とサブピクチャデコーダ２９から出力されたサブピクチャデータ９４とを混合（合成）して出力する混合器３３と、混合器３３から出力された画像データに基づき画像（映像）を表示する表示手段としてのディスプレイ３４と、を備えている。
【００３７】
システムコントローラ４は、演算機能を有するＣＰＵ、作業用ＲＡＭ及び、各種処理プログラムやデータを記憶するＲＯＭ等を備えている。また、システムコントローラ４におけるＲＯＭには、情報再生処理プログラムが記憶されており、かかるプログラムにより、コンピュータとしてのシステムコントローラ４が、画像データ登録手段、画像データ出力手段、関係提示手段、排出検知手段、登録判断手段、画像データ消去手段として機能する。なお、ＲＯＭには、後述するサムネイル表示を行うために必要なデータも記憶されている。
【００３８】
具体的には、システムコントローラ４は、画像データ登録手段として機能し、プログラム情報中に画像データが含まれているディスク１０から当該画像データを取得してメモリ５に登録（記憶）する。例えば、システムコントローラ４は、サーボ回路２３を制御することによって、ディスク１０のリードインエリア等からプログラム情報を読み出し、ディスク１０がＤＶＤであるか、或いは、ＣＤであるかを判断し、ＣＤであった場合には、さらに、Ｖｉｄｅｏ−ＣＤであるかを判断（例えば、エントリー情報により）することによって、当該ディスク１０に画像データが含まれているか否かを判断する。そして、当該ディスク１０に画像データが含まれている場合、システムコントローラ４は、サーボ回路２３を制御して、そのディスク１０に記録されたプログラム情報を再生させ、ストリーム分離部２６から所定の記録位置の画像データを取得し、例えば、１フレーム分の画像データ（図３の例では、Ｉピクチャのフレーム画像データ）をメモリ５に登録（記憶）する。ここで、プログラム情報中に画像データが含まれているディスク１０が、ディスク収納部１に複数枚収納されている場合、これらのディスク１０から取得された複数の画像データがメモリ５に登録されることになる。もちろん、１つのディスク１０から複数の画像データが取得されメモリ５に登録される場合もある。
【００３９】
システムコントローラ４は、このように取得された画像データとともに、当該画像データが記録されたディスク１０の収納位置情報を当該画像データに対応付けてメモリ５に登録する。収納位置情報とは、例えば、当該ディスク１０がディスク収納部１におけるどのトレイ（図１の例では、Ａ〜Ｆ）に載置されたかを示す情報である。
【００４０】
図４は、メモリ５に記憶された内容を示す概念図である。図４に示すように、メモリ５には、ディスク１０の収納位置情報と画像データとが対応付けられて記憶されている。例えば、トレイ「Ａ」に載置されたディスク１０（例えば、ＤＶＤ−Ｖｉｄｅｏ）に対しては、４つの画像データが登録されており、各画像データには、画像番号が付与されている。また、トレイ「Ｂ」に載置されたディスク１０（例えば、ＤＶＤ−Ａｕｄｉｏ）に対しては、１つの画像データが登録されている。一方、トレイ「Ｃ」に載置されたディスク１０（例えば、ＣＤ−ＤＡ）に対しては、画像データが登録されていない。
【００４１】
また、図４に示すトレイ「Ａ」に載置されたディスク１０のように、１つのディスク１０に対し複数の画像データがメモリ５に登録された場合には、システムコントローラ４は、登録された画像データを情報出力部３を通じてユーザに提示するとともに代表とすべき画像データの選択を促す。例えば、システムコントローラ４は、メモリ５に登録された全ての画像データに係る画像をディスプレイ３４に表示させ、その中から所望の画像の選択を促す。これに対し、例えば、ユーザが入力部６を通じて所望の画像の選択を行った場合には、選択があった画像データを、そのディスク１０における代表画像データ（１つのディスク１０に対し１つの画像データが登録されている場合には、その画像データが代表画像データとなる）としてメモリ５に登録する。
【００４２】
なお、メモリ５には、例えば、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）や、ハードディスク等を適用することができる。
【００４３】
また、システムコントローラ４は、関係提示手段として機能し、ディスク１０の収納位置情報とメモリ５に登録された画像データとの関係を情報出力部３を通じてユーザに提示する。例えば、ディスプレイ３４上に、ディスク１０の収納位置情報と画像データとの関係がサムネイル表示されることにより提示される。
【００４４】
図５は、ディスプレイ３４画面上に、ディスク１０の収納位置情報とメモリ５に登録された画像データとの関係がサムネイル表示されたときの例を示す図である。図５に示すように、ディスプレイ３４画面上には、各収納位置としてのトレイ（Ａ〜Ｆ）に対応して画像表示部（符号３４１〜３４６部）が設けられている。例えば、トレイ「Ａ」に載置されたディスク１０（例えば、ＤＶＤ−Ｖｉｄｅｏ）に対しては、メモリ５に登録された４つの画像データのうち代表画像データに係る画像が画像表示部３４１に表示されている。一方、トレイ「Ｃ」に載置されたディスク１０（例えば、ＣＤ−ＤＡ）に対しては、画像データが登録されていないので、画像表示部３４３には、例えば、ブルーバック（全面が青色背景）が表示されることになる。また、ディスプレイ３４画面上の画像表示部（符号３４１〜３４６部）のうち、現在選択されている画像表示部は、カーソル３４７が表示されている。このカーソル３４７は、ユーザによる入力部６の操作により移動するものである。
【００４５】
なお、システムコントローラ４は、情報再生部２における信号処理部２４からディスク１０の種類の情報を取得して、これを、図５に示すサムネイル表示中の各収納位置としてのトレイ（Ａ〜Ｆ）に対応して表示させるようにしてもよい。
【００４６】
また、このようなサムネイル表示上で、ユーザは、プログラム情報中に音声データが含まれ、かつ、画像データが含まれていないディスク１０（例えば、ＣＤ−ＤＡ、ｄｔｓ−ＣＤ）に対して、メモリ５に登録された画像データを割り当てることができる。
【００４７】
そして、システムコントローラ４は、ディスク収納部１に収納されたディスク１０のうち、プログラム情報中に音声データが含まれ、かつ、画像データが含まれていないディスク１０（例えば、ＣＤ−ＤＡ、ｄｔｓ−ＣＤ）から該音声データを再生させる際に、画像データ出力手段として機能し、メモリ５に登録され当該ディスク１０に割り当てられた画像データをメモリ５から読み出し情報再生部２を介して情報出力部３に出力する。これにより、ディスク１０（例えば、ＣＤ−ＤＡ、ｄｔｓ−ＣＤ）から音声データが再生され、音声（例えば、楽曲）が出力されている間、情報出力部３におけるディスプレイ３４上に当該画像データに係る画像（背景画像）が表示されることになる。
【００４８】
また、システムコントローラ４は、排出検知手段として機能し、ディスク収納部１に収納されていたディスク１０の排出を検知する。例えば、ディスク収納部１におけるトレイとともにディスク１０が排出された場合には、どのトレイが排出されたかを示す信号をディスクイジェクト機構１２からシステムコントローラ４に出力するようにし、システムコントローラ４は、かかる信号に基づいて、ディスク１０の排出を検知する。そして、システムコントローラ４は、排出が検知された場合には、登録判断手段として、当該トレイに載置されたディスク１０から画像データが取得されメモリ５に登録されているか否かを判断し、登録されていると判断された場合には、画像データ消去手段として機能し、当該画像データをメモリ５から消去する。
【００４９】
入力部６は、ユーザからの各種操作指示（例えば、画像データ登録指示、画像データ提示指示、ディスク選択指示、画像データ切換指示、画像データ割当指示、プログラム情報再生指示、プログラム情報停止指示等）を受付けるための操作ボタン（例えば、画像データ登録指示ボタン、画像データ提示指示ボタン、ディスク選択指示ボタン、画像データ切換指示ボタン、画像データ割当指示ボタン、プログラム情報再生指示ボタン、プログラム情報停止指示ボタン等）が配列されており、それらの操作ボタンが、ユーザにより押下されると、押下された操作ボタンに対応する指示信号がシステムコントローラ４に出力されるようになっている。
【００５０】
次に、図６乃至図９を参照して、本実施形態にかかるオーディオ再生出力装置Ｓの動作を説明する。
【００５１】
［画像データ登録処理］
始めに、図６を参照して、ディスク１０に記録された画像データの登録処理について説明する。
【００５２】
図６は、システムコントローラ４における画像データの登録処理を示すフローチャートである。
【００５３】
先ず、ユーザが、入力部６における画像データ登録指示ボタンを押下すると、システムコントローラ４は、これに応じ、図６に示す処理を開始し、情報再生部２のチェンジャー機構２０に対し、例えば、ディスク収納部１におけるトレイ「Ａ」に載置されたディスク１０の搬送指令を出力する（ステップＳ１）。これにより、チャンジャー機構２０は、トレイ「Ａ」に載置されたディスク１０をターンテーブル上に搬送し所定のクランプ位置に載置する。次いで、システムコントローラ４は、ディスク１０の種類を判断するのに必要な情報を取得するために、情報再生部２のサーボ回路２３に再生制御指令を出力する（ステップＳ２）。これにより、ピックアップ２２は、当該ディスク１０のリードインエリア等に記録されたプログラム情報を読み取り、信号処理部２４に出力する。次いで、信号処理部２４は、かかる情報をシステムコントローラ４に出力する。
【００５４】
次に、システムコントローラ４は、信号処理部２４からの情報に基づき、ディスク１０の種類を判断することによって、当該ディスク１０に画像データが含まれているか否かを判断する（ステップＳ３）。かかるディスク１０に画像データが含まれている場合、例えば、ディスク１０がＤＶＤ−Ｖｉｄｅｏである場合には、システムコントローラ４は、かかるＤＶＤ−Ｖｉｄｅｏに記録されたビデオマネージャを取得し、これを参照（ディスク１０がＶｉｄｅｏ−ＣＤである場合、エントリー情報を参照）して、画像データを読み出す位置を、例えば、ランダムに決定した後、サーボ回路２３に再生制御指令を出力する（ステップＳ４）。
【００５５】
これにより、ディスク１０における決定された位置からプログラム情報がピックアップ２２により読み出されて信号処理部２４に出力され、そこで復調処理等が施された後、ストリーム分離部２６に出力される。ストリーム分離部２６は、信号処理部２４から出力された復調データから画像データを分離抽出し、システムコントローラ４に出力する。こうして、システムコントローラ４は、ストリーム分離部２６から出力された画像データを取得し、例えば、このうちの１フレーム分の画像データに画像番号を付与し、その１フレーム分の画像データをメモリ５に登録する（ステップＳ５）。
【００５６】
次に、システムコントローラ４は、当該画像データが記録されたディスク１０の収納位置情報を当該画像データに対応付けてメモリ５に登録する（ステップＳ６）。
【００５７】
一方、ステップＳ３において、ディスク１０に画像データが含まれていないと判断された場合、ステップＳ７に移行する。
【００５８】
ステップＳ７では、ディスク収納部１における全てのトレイに載置されたディスク１０について画像データが含まれているか否かの判断がなされたか判別され、画像データが含まれているか否かの判断がなされていないディスク１０がある場合には、システムコントローラ４は、ステップＳ１に戻り、情報再生部２のチェンジャー機構２０に対し、例えば、ディスク収納部１におけるトレイ「Ｂ」に載置されたディスク１０の搬送指令を出力する。こうして、トレイ「Ｂ」に載置されたディスク１０がターンテーブル上に搬送され、所定のクランプ位置に載置される。そして、そのディスク１０に対し上記ステップＳ２〜Ｓ６の処理が行われることになる。
【００５９】
このような処理が、ディスク収納部１における全てのトレイに載置されたディスク１０についてなされた場合には（ステップＳ７）、当該処理が終了する。こうして、メモリ５には、図４に示すように画像データが登録されることになる。
【００６０】
このように、ディスク収納部１に複数枚収納されたディスク１０のうちから画像データが記録されたディスク１０が判別、選定され、選定されたディスク１０から画像データが自動的に取得されるので、画像データが記録されていないディスク１０から音声データが再生、出力される際にディスプレイ３４に出力されるべき画像データをより簡単、かつ、効率良くメモリ５に登録することができる。
【００６１】
また、ディスク１０から取得された画像データがメモリ５に登録される際、かかるディスク１０のディスク収納部１における収納位置情報もがメモリ５に登録されるので、複数のディスク１０から画像データが取得された場合にも、どのディスク１０から取得された画像データであるかの対応関係を明確にすることができる。
【００６２】
なお、上記ステップＳ４において、システムコントローラ４は、画像データを読み出す位置を複数決定し、決定された位置から再生されたプログラム情報中の画像データを複数取得して、これらをメモリ５に登録するように構成してもよい。このように構成すれば、様々な画像データのバリエーションを登録することができる。
【００６３】
また、システムコントローラ４は、１又は複数取得された画像データを情報出力部３を通じてユーザに提示、例えば、ディスプレイ３４の画面上に画像を表示するとともに１又は複数の画像データの選択を促し、当該ユーザから入力部６を通じて選択があった（例えば、画像データ選択指示ボタンの押下による）画像データをメモリ５に登録するように構成してもよい。このように構成すれば、取得された画像データのうち、ユーザが、好きな画像データのみをメモリ５に登録することができる。
【００６４】
更に、上記ステップＳ４において、システムコントローラ４は、ビデオマネージャ内のメニュー画像や、スライドショウ等の静止画の画像データを検索、優先的に取得しメモリ５に登録するように構成してもよい。また、このような静止画の画像データが存在しない場合、ディスク１０に記録されたプログラム情報のうちタイトル再生開始及び終了付近は、タイトルロールなど背景画像となりにくい画像データが多いため、この範囲を避ける目的でタイトル中間地点の画像データを取得しメモリ５に登録するように構成してもよい。
【００６５】
なお、上記画像データの登録処理は、画像データをメモリ５に登録する方法の一例を示したものであり、かかる方法に限定されるものではない。例えば、ユーザが、入力部６におけるディスク選択指示ボタンにより再生すべきディスク１０としてＤＶＤ−Ｖｉｄｅｏを選択し、プログラム情報再生指示ボタンを押下すると、ＤＶＤ−Ｖｉｄｅｏに記録されたプログラム情報が読み出され、音声がスピーカ３から出力され、映像がディスプレイ３４に表示されることになるが、ユーザが、ディスプレイ３４上における映像を見ながら好きな場所で入力部５における画像データ登録指示ボタンを押下すると、システムコントローラ４は、これに応じ、その場面の画像データを取得しメモリ５に登録するように構成してもよい。
【００６６】
［画像データ提示・割当処理］
次に、図７を参照して、メモリ５に登録された画像データの提示処理及び割当処理について説明する。
【００６７】
図７は、システムコントローラ４における画像データの提示・割当処理を示すフローチャートである。
【００６８】
先ず、ユーザが、入力部６における画像データ提示指示ボタンを押下すると、システムコントローラ４は、これに応じ、図７に示す処理を開始し、メモリ５に登録されたディスク１０の収納位置情報と画像データ（１つのディスク１０に対し複数の画像データが登録されていた場合には、代表画像データ）及びＲＯＭに記憶された必要なデータを読み出し、これらのデータ等に基づいて、サムネイル表示データを作成し、これをストリーム分離部２６に出力する（ステップＳ１１）。
【００６９】
かかるサムネイル表示データは、ストリーム分離部２６により画像データとサブピクチャデータに分離され、画像データはビデオデコーダ２８に、サブピクチャデータはサブピクチャデコーダ２９にそれぞれ出力され、混合器３３によりこれらのデータが混合され、ディスプレイ３４に出力される。こうして、図５に示すように、ディスプレイ３４上に、メモリ５に登録された画像データのサムネイル表示がなされる。これにより、ユーザは、どのトレイのディスク１０からどのような画像が取得されたかを容易に把握することができる。
【００７０】
このような表示状態で、ユーザが、例えば、入力部６におけるディスク選択指示ボタンを押下すると、システムコントローラ４は、これに応じ（ステップＳ１２）、ディスプレイ３４上に表示されたカーソル３４７を画像表示部上を移動させるように制御する（ステップＳ１３）。従って、ユーザが、入力部６におけるディスク選択指示ボタンを押下する度に、カーソル３４７が画像表示部３４１〜３４６上を移動することになる。
【００７１】
そして、ユーザが、代表画像データを設定したい場合、複数の画像データが登録されているディスク１０（例えば、ＤＶＤ−Ｖｉｄｅｏ）に対応する画像表示部３４１にカーソル３４７を移動させ、入力部６における画像データ切換指示ボタンを押下すると、システムコントローラ４は、これに応じ（ステップＳ１４）、現在表示されている画像に対応する画像番号の次の画像番号の画像データをメモリ５から読み出しストリーム分離部２６に出力してディスプレイ３４における画像表示部３４１に表示させるとともに、かかる画像データを代表画像データとしてメモリ５に登録する（ステップＳ１５）。従って、ユーザが、入力部６における画像データ切換指示ボタンを押下する度に、画像表示部３４１における画像データが切り換え表示され、複数の画像データが登録されているディスク１０に対し代表画像データが登録されることになる。なお、上述したように、１つの画像データのみが登録されているディスク１０については、その画像データが代表画像データである。
【００７２】
そして、ユーザが、画像データの割り当てをしたい場合、画像データが記録されていないディスク１０（例えば、ＣＤ−ＤＡ）に対応する画像表示部３４３にカーソル３４７を移動させ、入力部６における画像データ割当指示ボタンを押下すると、システムコントローラ４は、これに応じ（ステップＳ１６）、登録されている代表画像データをメモリ５から読み出しストリーム分離部２６に出力してディスプレイ３４における画像表示部３４３に表示させるとともに、かかる代表画像データを、そのディスク１０（例えば、ＣＤ−ＤＡ）に対し割り当て登録する（ステップＳ１７）。従って、ユーザが、入力部６における画像データ割当指示ボタンを押下する度に、画像表示部３４３における代表画像データ（例えば、ＤＶＤ−Ｖｉｄｅｏ、ＤＶＤ−Ａｕｄｉｏ及びＶｉｄｅｏ−ＣＤのそれぞれに対応する代表画像データ）が切り換え表示され、画像データが記録されていないディスク１０に対し画像データが割り当て登録されることになる。
【００７３】
そして、ユーザが入力部６における終了ボタンを押下すると、システムコントローラ４はこれに応じ（ステップＳ１８）、処理を終了する。
【００７４】
このように、画像データが記録されていないディスク１０から音声データが再生、出力される際にディスプレイ３４に出力すべき画像データを、ユーザは、サムネイル表示上で容易に決定することができ、しかも、画像データが記録されていないディスク１０毎に好きな画像データを割り当てることができる。
【００７５】
［画像データ出力処理］
次に、図８を参照して、メモリ５に登録された画像データの出力処理について説明する。
【００７６】
図８は、システムコントローラ４における画像データの出力処理を示すフローチャートである。
【００７７】
先ず、ユーザが、入力部６におけるディスク選択指示ボタンにより再生すべきディスク１０を選択し、プログラム情報再生指示ボタンを押下すると、システムコントローラ４は、これに応じ、情報再生部２のチェンジャー機構２０に対し、選択されたディスク１０の搬送指令を出力する（ステップＳ２１）。これにより、チャンジャー機構２０は、選択されたディスク１０をターンテーブル上に搬送し所定のクランプ位置に載置する。なお、選択されたディスク１０が既に、所定のクランプ位置に載置されている場合には、ステップＳ２１は実行されず、ステップＳ２２に移行する。
【００７８】
次に、システムコントローラ４は、ディスク１０の種類を判断するのに必要な情報を取得するために、情報再生部２のサーボ回路２３に再生制御指令を与える（ステップＳ２２）。これにより、ピックアップ２２は、当該ディスク１０のリードインエリア等に記録されたプログラム情報を読み取り、信号処理部２４に出力する。次いで、信号処理部２４は、かかる情報をシステムコントローラ４に出力する。
【００７９】
次に、システムコントローラ４は、信号処理部２４からの情報に基づき、ディスク１０の種類を判断することによって、当該ディスク１０に画像データが含まれているか否かを判断する（ステップＳ２３）。かかるディスク１０に画像データが含まれていない場合、例えば、ディスク１０がＣＤ−ＤＡである場合には、システムコントローラ４は、メモリ５を参照してかかるディスク１０に対し代表画像データが割り当てされているか否かを判断し（ステップＳ２４）、代表画像データが割り当てられている場合には、システムコントローラ４は、その代表画像データをメモリ５から読み出しストリーム分離部２６に出力してディスプレイ３４に背景画像として表示させる（ステップＳ２５）。一方、代表画像データが割り当てられていない場合には、システムコントローラ４は、メモリ５に登録された代表画像データをランダムに抽出し、それをストリーム分離部２６に出力してディスプレイ３４に背景画像として表示させる（ステップＳ２６）。
【００８０】
一方、ステップＳ２３において、かかるディスク１０に画像データが含まれている場合には、ステップＳ２７に移行する。
【００８１】
次に、システムコントローラ４は、プログラム情報を出力するために、情報再生部２のサーボ回路２３に再生制御指令を与える（ステップＳ２７）。これにより、ピックアップ２２は、当該ディスク１０に記録されたプログラム情報を読み取り、信号処理部２４に出力する。次いで、信号処理部２４は、プログラム情報に係るＲＦ信号に対して所定の復調処理及び誤り訂正処理等を行ってバッファメモリ２５に一時的に格納すると共にその格納した復調データをストリーム分離部２６に出力する。次いで、ストリーム分離部２６は、信号処理部２４から出力された復調データから音声データを抽出しオーディオデコーダ２に出力する。こうして、音声データが、オーディオデコーダ２、ＤＡＣ３０及びアンプ３１を介してスピーカ３２から音波として出力されることになる。
【００８２】
このように、画像データが記録されていないディスク１０から音声データが再生、出力される際に、メモリ５に登録された画像データがディスプレイ３４に出力、表示されるので、ディスク収納部１に収納されたディスク１０に記録された画像データを有効に活用することができるとともに、ディスプレイ３４を有効に活用させることができる。
【００８３】
［画像データ消去処理］
次に、図９を参照して、メモリ５に登録された画像データの消去処理について説明する。
【００８４】
図９は、システムコントローラ４における画像データの消去処理を示すフローチャートである。
【００８５】
ユーザが、例えば、ディスク収納部１の筐体等に設けられたディスクイジェクト釦を押下すると、ディスクイジェクト機構１２は、これに応じ、対応するディスク１０を筐体内から排出させるとともに、当該ディスク１０の排出を示す信号をシステムコントローラ４に出力する。システムコントローラ４は、かかるディスク１０の排出を示す信号を受付けると、図９に示す処理を開始し、かかるディスク１０の排出を示す信号に基づいて、ディスク収納部１に収納されたディスク１０のうち、どの収納位置のディスク１０が排出されたかを検知する（ステップＳ３１）。
【００８６】
次に、システムコントローラ４は、メモリ５を参照し、排出が検知されたディスク１０から画像データが取得されメモリ５に登録されているか否かを判断し（ステップＳ３２）、登録されていると判断された場合には、当該画像データをメモリ５から消去する（ステップＳ３３）。例えば、排出が検知されたディスク１０が、図４に示すように、トレイ「Ａ」に載置されたＤＶＤ−Ｖｉｄｅｏであった場合には、メモリ５に登録された４つの画像データの全てが消去されることになる。これにより、ディスク収納部１に収納されていないディスクの画像データが出力されないため、著作権者の複製権等を尊重することができる。
【００８７】
以上説明したように本実施形態によれば、ディスク収納部１に収納されたディスク１０から自動的に画像データを取得し、より簡単、かつ、効率良く該画像データを登録することができ、画像データが記録されていないディスク１０から音声データを再生させる場合に、当該画像データをディスプレイ３４に表示させることによって、画像データ及びディスプレイ３４を有効に活用させることができる。
【００８８】
なお、上記実施形態においては、画像データの取得元の記録媒体の例としてＤＶＤを適用したが、これに限定されるものではなく、メモリースティック（登録商標）などの記録媒体から自動的に画像データを取得してメモリ５に登録してもよい。また、画像データが記録されていない記録媒体の例として、ＣＤを適用したが、これに限定されるものではなく、ＭＤ、ＭＯ等の記録媒体を適用してもよい。
【図面の簡単な説明】
【図１】本実施形態にかかるオーディオ再生出力装置の概要ブロック例を示す図である。
【図２】ＤＶＤ−Ｖｉｄｅｏの論理的記録フォーマット例を示す図である。
【図３】ＧＯＰを構成するフレーム画像例を示す図である。
【図４】メモリ５に記憶された内容を示す概念図である。
【図５】ディスプレイ３４画面上に、ディスク１０の収納位置情報とメモリ５に登録された画像データとの関係がサムネイル表示されたときの例を示す図である。
【図６】システムコントローラ４における画像データの登録処理を示すフローチャートである。
【図７】システムコントローラ４における画像データの提示・割当処理を示すフローチャートである。
【図８】システムコントローラ４における画像データの出力処理を示すフローチャートである。
【図９】システムコントローラ４における画像データの消去処理を示すフローチャートである。
【符号の説明】
１　ディスク収納部
２　情報再生部
３　情報出力部
４　システムコントローラ
５　メモリ
６　入力部
１０　ディスク
１２　ディスクイジェクト機構
２１　スピンドルモータ
２２　ピックアップ
２３　サーボ回路
２４　信号処理部
２５　バッファメモリ
２６　ストリーム分離部
２７　オーディオデコーダ
２８　ビデオデコーダ
２９　サブピクチャデコーダ
３０　ＤＡＣ
３１　ＡＭＰ
３２　スピーカ
３３　混合器
３４　ディスプレイ
１００　オーディオ再生出力装置
【図１】
2004071080.tif 000003
【図２】
2004071080.tif 000004
【図３】
2004071080.tif 000005
【図４】
2004071080.tif 000006
【図５】
2004071080.tif 000007
【図６】
2004071080.tif 000008
【図７】
2004071080.tif 000009
【図８】
2004071080.tif 000010
【図９】
2004071080.tif 000011